【手続補正書】
【提出日】平成17年8月11日(2005.8.11)
【手続補正１】
【補正対象書類名】特許請求の範囲
【補正対象項目名】全文
【補正方法】変更
【補正の内容】
【特許請求の範囲】
【請求項１】
画素に第１の配線と、前記第１の配線と交差する第２の配線及び第３の配線と、第１のトランジスタと、第２のトランジスタと、第１の画素電極と、第２の画素電極とを有し、
前記第１のトランジスタ、前記第２のトランジスタは、前記第１の配線に電気的に接続され、
前記第１のトランジスタは前記第２の配線に電気的に接続され、前記第２のトランジスタは前記第３の配線に電気的に接続され、
前記第１の画素電極は、前記画素の中心部分に配置され、前記第２の画素電極は、前記第１の画素電極の周辺に配置されていることを特徴とする液晶表示装置。
【請求項２】
画素に第１の配線と、前記第１の配線と交差する第２の配線及び第３の配線と、第１のトランジスタと、第２のトランジスタと、第１の画素電極と、第２の画素電極とを有し、
前記第１のトランジスタ、前記第２のトランジスタは、前記第１の配線に電気的に接続され、
前記第１のトランジスタは前記第２の配線に電気的に接続され、前記第２のトランジスタは前記第３の配線に電気的に接続され、
前記画素の中心は、前記第１の画素電極の領域内に含まれ、前記第２の画素電極は、前記第１の画素電極の周辺に配置されていることを特徴とする液晶表示装置。
【請求項３】
画素に第１の配線と、前記第１の配線と交差する第２の配線及び第３の配線と、第１のトランジスタと、第２のトランジスタと、第１の画素電極と、第２の画素電極とを有し、
前記第１のトランジスタ、前記第２のトランジスタは、前記第１の配線に電気的に接続され、
前記第１のトランジスタは前記第２の配線に電気的に接続され、前記第２のトランジスタは前記第３の配線に電気的に接続され、
前記第２の画素電極は、前記第１の画素電極の少なくとも２辺に隣接することを特徴とする液晶表示装置。
【請求項４】
画素に第１の配線と、前記第１の配線と交差する第２の配線及び第３の配線と、第１のトランジスタと、第２のトランジスタと、第１の画素電極と、第２の画素電極とを有し、
前記第１のトランジスタ、前記第２のトランジスタは、前記第１の配線に電気的に接続され、
前記第１のトランジスタは前記第２の配線に電気的に接続され、前記第２のトランジスタは前記第３の配線に電気的に接続され、
前記第１の画素電極及び前記第２の画素電極は、形状及び面積がそれぞれ異なり、
前記第１の画素電極及び前記第２の画素電極には、異なる画像信号が入力されることを特徴とする液晶表示装置。
【請求項５】
画素に第１の配線と、前記第１の配線と交差する第２の配線及び第３の配線と、第１のトランジスタと、第２のトランジスタと、第１の画素電極と、第２の画素電極とを有し、
前記第１の画素電極は、前記第１のトランジスタに電気的に接続され、
前記第２の画素電極は、前記第２のトランジスタに電気的に接続され、
前記第１の画素電極は、前記画素の中心部分に配置され、前記第２の画素電極は、前記第１の画素電極の周辺に配置されていることを特徴とする液晶表示装置。
【請求項６】
画素に第１の配線と、前記第１の配線と交差する第２の配線及び第３の配線と、第１のトランジスタと、第２のトランジスタと、第１の画素電極と、第２の画素電極とを有し、
前記第１の画素電極は、前記第１のトランジスタに電気的に接続され、
前記第２の画素電極は、前記第２のトランジスタに電気的に接続され、
前記画素の中心は、前記第１の画素電極の領域内に含まれ、前記第２の画素電極は、前記第１の画素電極の周辺に配置されていることを特徴とする液晶表示装置。
【請求項７】
画素に第１の配線と、前記第１の配線と交差する第２の配線及び第３の配線と、第１のトランジスタと、第２のトランジスタと、第１の画素電極と、第２の画素電極とを有し、
前記第１の画素電極は、前記第１のトランジスタに電気的に接続され、
前記第２の画素電極は、前記第２のトランジスタに電気的に接続され、
前記第２の画素電極は、前記第１の画素電極の少なくとも２辺に隣接することを特徴とする液晶表示装置。
【請求項８】
画素に第１の配線と、前記第１の配線と交差する第２の配線及び第３の配線と、第１のトランジスタと、第２のトランジスタと、第１の画素電極と、第２の画素電極とを有し、
前記第１の画素電極は、前記第１のトランジスタに電気的に接続され、
前記第２の画素電極は、前記第２のトランジスタに電気的に接続され、
前記第１の画素電極及び前記第２の画素電極は、形状及び面積がそれぞれ異なり、
前記第１の画素電極及び前記第２の画素電極には、異なる画像信号が入力されることを特徴とする液晶表示装置。
【請求項９】
画素に走査線と、前記走査線と交差する第１の信号線及び第２の信号線と、第１の薄膜トランジスタと、第２の薄膜トランジスタと、第１の画素電極と、第２の画素電極とを有し、
前記第１の画素電極は、前記第１の薄膜トランジスタに電気的に接続され、
前記第２の画素電極は、前記第２の薄膜トランジスタに電気的に接続され、
前記第１の薄膜トランジスタ、前記第２の薄膜トランジスタは、前記走査線に電気的に接続され、
前記第１の薄膜トランジスタは前記第１の信号線に電気的に接続され、前記第２の薄膜トランジスタは前記第２の信号線に電気的に接続され、
前記第１の画素電極は、前記画素の中心部分に配置され、前記第２の画素電極は、前記第１の画素電極の周辺に配置されていることを特徴とする液晶表示装置。
【請求項１０】
画素に走査線と、前記走査線と交差する第１の信号線及び第２の信号線と、第１の薄膜トランジスタと、第２の薄膜トランジスタと、第１の画素電極と、第２の画素電極とを有し、
前記第１の画素電極は、前記第１の薄膜トランジスタに電気的に接続され、
前記第２の画素電極は、前記第２の薄膜トランジスタに電気的に接続され、
前記第１の薄膜トランジスタ、前記第２の薄膜トランジスタは、前記走査線に電気的に接続され、
前記第１の薄膜トランジスタは前記第１の信号線に電気的に接続され、前記第２の薄膜トランジスタは前記第２の信号線に電気的に接続され、
前記画素の中心は、前記第１の画素電極の領域内に含まれ、前記第２の画素電極は、前記第１の画素電極の周辺に配置されていることを特徴とする液晶表示装置。
【請求項１１】
画素に走査線と、前記走査線と交差する第１の信号線及び第２の信号線と、第１の薄膜トランジスタと、第２の薄膜トランジスタと、第１の画素電極と、第２の画素電極とを有し、
前記第１の画素電極は、前記第１の薄膜トランジスタに電気的に接続され、
前記第２の画素電極は、前記第２の薄膜トランジスタに電気的に接続され、
前記第１の薄膜トランジスタ、前記第２の薄膜トランジスタは、前記走査線に電気的に接続され、
前記第１の薄膜トランジスタは前記第１の信号線に電気的に接続され、前記第２の薄膜トランジスタは前記第２の信号線に電気的に接続され、
前記第２の画素電極は、前記第１の画素電極の少なくとも２辺に隣接することを特徴とする液晶表示装置。
【請求項１２】
画素に走査線と、前記走査線と交差する第１の信号線及び第２の信号線と、第１の薄膜トランジスタと、第２の薄膜トランジスタと、第１の画素電極と、第２の画素電極とを有し、
前記第１の画素電極は、前記第１の薄膜トランジスタに電気的に接続され、
前記第２の画素電極は、前記第２の薄膜トランジスタに電気的に接続され、
前記第１の薄膜トランジスタ、前記第２の薄膜トランジスタは、前記走査線に電気的に接続され、
前記第１の薄膜トランジスタは前記第１の信号線に電気的に接続され、前記第２の薄膜トランジスタは前記第２の信号線に電気的に接続され、
前記第１の画素電極及び前記第２の画素電極は、形状及び面積がそれぞれ異なり、
前記第１の画素電極及び前記第２の画素電極には、異なる画像信号が入力されることを特徴とする液晶表示装置。
【請求項１３】
画素に信号線と、前記信号線と交差する第１の走査線及び第２の走査線と、第１の薄膜トランジスタと、第２の薄膜トランジスタと、第１の画素電極と、第２の画素電極とを有し、
前記第１の画素電極は、前記第１の薄膜トランジスタに電気的に接続され、
前記第２の画素電極は、前記第２の薄膜トランジスタに電気的に接続され、
前記第１の薄膜トランジスタは前記第１の走査線に電気的に接続され、前記第２の薄膜トランジスタは前記第２の走査線に電気的に接続され、
前記第１の画素電極は、前記画素の中心部分に配置され、前記第２の画素電極は、前記第１の画素電極の周辺に配置されていることを特徴とする液晶表示装置。
【請求項１４】
画素に信号線と、前記信号線と交差する第１の走査線及び第２の走査線と、第１の薄膜トランジスタと、第２の薄膜トランジスタと、第１の画素電極と、第２の画素電極とを有し、
前記第１の画素電極は、前記第１の薄膜トランジスタに電気的に接続され、
前記第２の画素電極は、前記第２の薄膜トランジスタに電気的に接続され、
前記第１の薄膜トランジスタは前記第１の走査線に電気的に接続され、前記第２の薄膜トランジスタは前記第２の走査線に電気的に接続され、
前記画素の中心は、前記第１の画素電極の領域内に含まれ、前記第２の画素電極は、前記第１の画素電極の周辺に配置されていることを特徴とする液晶表示装置。
【請求項１５】
画素に信号線と、前記信号線と交差する第１の走査線及び第２の走査線と、第１の薄膜トランジスタと、第２の薄膜トランジスタと、第１の画素電極と、第２の画素電極とを有し、
前記第１の画素電極は、前記第１の薄膜トランジスタに電気的に接続され、
前記第２の画素電極は、前記第２の薄膜トランジスタに電気的に接続され、
前記第１の薄膜トランジスタは前記第１の走査線に電気的に接続され、前記第２の薄膜トランジスタは前記第２の走査線に電気的に接続され、
前記第２の画素電極は、前記第１の画素電極の少なくとも２辺に隣接することを特徴とする液晶表示装置。
【請求項１６】
画素に信号線と、前記信号線と交差する第１の走査線及び第２の走査線と、第１の薄膜トランジスタと、第２の薄膜トランジスタと、第１の画素電極と、第２の画素電極とを有し、
前記第１の画素電極は、前記第１の薄膜トランジスタに電気的に接続され、
前記第２の画素電極は、前記第２の薄膜トランジスタに電気的に接続され、
前記第１の薄膜トランジスタは前記第１の走査線に電気的に接続され、前記第２の薄膜トランジスタは前記第２の走査線に電気的に接続され、
前記第１の画素電極及び前記第２の画素電極は、形状及び面積がそれぞれ異なり、
前記第１の画素電極及び前記第２の画素電極には、異なる画像信号が入力されることを特徴とする液晶表示装置。
【請求項１７】
請求項１乃至請求項１６のいずれか一において、前記第１の画素電極及び前記第２の画素電極に対向するパターニングされた電極を有することを特徴とする液晶表示装置。
【請求項１８】
請求項１乃至請求項１７のいずれか一において、前記第１の画素電極及び前記第２の画素電極は、透明画素電極であることを特徴とする液晶表示装置。